(57)【要約】【課題】断熱性能に優れた、小径の樹脂管を備えた温冷水配管を提供する。【解決手段】温冷水配管１は、円管状の樹脂管２と、該樹脂管を被包する第１の断熱材３と、該樹脂管及び第１の断熱材が内挿された円管状のさや管４と、さや管４を被包する第２の断熱材５を有する。該樹脂管２の直径が８．２ｍｍ以下であり、前記第１の断熱材３の厚さが３〜６ｍｍであり、温冷水配管の直径が５０ｍｍ以下である。第１の断熱材３は、樹脂管２に対しマット状断熱材を１重だけ巻き付け、該マット状断熱材の端面同士を融着させたものである。【選択図】図１
2015075174.tif 000002
【特許請求の範囲】
【請求項１】
円管状の樹脂管と、
該樹脂管を被包する第１の断熱材と、
該樹脂管及び第１の断熱材が内挿された円管状のさや管と
を有する温冷水配管において、
該樹脂管の直径が８．２ｍｍ以下であり、
前記第１の断熱材の厚さが３〜６ｍｍであり、
前記さや管を被包する第２の断熱材が設けられており、
該温冷水配管の直径が５０ｍｍ以下であり、
前記第１の断熱材は、前記樹脂管に対しマット状断熱材を１重だけ巻き付け、該マット状断熱材の端面同士を融着させたものであることを特徴とする温冷水配管。
【請求項２】
請求項１において、前記第２の断熱材は、前記さや管に対しマット状断熱材を１重だけ巻き付け、該マット状断熱材の端面同士を融着させたものであることを特徴とする温冷水配管。
【請求項３】
請求項１又は２において、前記第１の断熱材の外周面に高摺動性樹脂フィルムが設けられており、前記第２の断熱材の外周面に耐候性樹脂フィルムが設けられていることを特徴とする温冷水配管。
【発明の詳細な説明】
【技術分野】
【０００１】
本発明は、温水や冷水を通水するための温冷水配管に係り、詳しくは表面に凹凸形状を備えたコルゲート管をはじめとするさや管と、該さや管に内挿された断熱材被包樹脂管等を備えてなる温冷水配管に関する。
【背景技術】
【０００２】
戸建て住宅やビル等の集合住宅において温水や冷水を通水するための配管を配設する工法として、さや管を予め建物躯体に配設しておき、このさや管内に、円管状断熱材で被包された樹脂管を挿入する工法が周知である（例えば特許文献１）。
【０００３】
特許文献１の温冷水配管は、円管状のさや管と、該さや管に内挿された円管状の断熱材と、該断熱材に内挿された１本の円管状の樹脂管とを有し、該断熱材の外周面がフィルムで被包されている温冷水配管において、該さや管の内径Ｄと該断熱材の外径Ｃとの差（Ｄ−Ｃ）が２〜１０ｍｍ、かつ該断熱材の外周面が凹凸面となっていることを特徴とするものである。
【先行技術文献】
【特許文献】
【０００４】
【特許文献１】特開２００７−２０５５５１号
【発明の概要】
【発明が解決しようとする課題】
【０００５】
樹脂管を断熱材で被包した構造としては、樹脂管を筒状断熱材内に挿入した構造と、樹脂管にシート状断熱材を１重だけ巻き付け、該シート状断熱材の端面同士を熱融着（以下、単に融着という。）した構造とがある。
【０００６】
前者のように樹脂管を筒状断熱材内に挿入した構造にあっては、樹脂管と筒状断熱材との間に隙間が必要であり、この隙間の存在分だけ断熱性能が低下する。
【０００７】
後者のシート状断熱材を樹脂管に１重だけ巻いてシート状断熱材の端面同士を融着した構造の場合、樹脂管の直径が小さいと、シート状断熱材を樹脂管外周に沿って湾曲させて巻き付ける際の反発弾性力（復元力）が大きくなり、シート状断熱材を樹脂管外周面に密着させることができなかったり、端面同士の融着部が剥れて断熱性能が低下するおそれがあった。
【０００８】
温冷水配管の用途によっては、樹脂管として直径の小さいものを用い、内部を流れる温水の流速を大きくし、温水の温度低下を小さくすることが必要な場合がある。このような場合には、上記の理由により、シート状断熱材巻き付け構造は不利となる。
【０００９】
本発明は、断熱性能に優れた、小径の樹脂管を備えた温冷水配管を提供することを目的とする。
【課題を解決するための手段】
【００１０】
本発明の温冷水配管は、円管状の樹脂管と、該樹脂管を被包する第１の断熱材と、該樹脂管及び第１の断熱材が内挿された円管状のさや管とを有する温冷水配管において、該樹脂管の直径が８．２ｍｍ以下であり、前記第１の断熱材の厚さが３〜６ｍｍであり、前記さや管を被包する第２の断熱材が設けられており、該温冷水配管の直径が５０ｍｍ以下であり、前記第１の断熱材は、前記樹脂管に対しマット状断熱材を１重だけ巻き付け、該マット状断熱材の端面同士を融着させたものであることを特徴とする。
【００１１】
前記第２の断熱材は、前記さや管に対しマット状断熱材を１重だけ巻き付け、該マット状断熱材の端面同士を融着させたものが好ましい。
【００１２】
前記第１の断熱材の外周面に高摺動性樹脂フィルムが設けられ、前記第２の断熱材の外周面に耐候性樹脂フィルムが設けられてもよい。
【発明の効果】
【００１３】
本発明の温冷水配管にあっては、樹脂管が直径８．２ｍｍ以下の小径のものである。このため、温水を少流量にて通水する場合、流速が大きく、流れている間の放熱による温度低下が極めて少ない。
【００１４】
本発明では、この小径の樹脂管に対し厚さが３〜６ｍｍと小さいマット状断熱材を１重だけ巻き付け、その端面同士を融着させることにより第１の断熱材を形成している。この第１の断熱材は、厚さが小さいので、小径の樹脂管に対して巻き付けるときの復元力が小さい。そのため、この第１の断熱材を樹脂管の外周面に密着させることができ、また、端面同士の融着部も健全なものとなる。
【００１５】
本発明では、第１の断熱材の厚さを小さくしているが、さや管の外周に第２の断熱材を設けているので、温冷水配管全体として断熱材の必要厚さが確保されており、断熱性能に優れている。
【００１６】
本発明では、この第２の断熱材も、シート状断熱材を１重だけさや管に巻き付け、その端面同士を融着させて構成されたものが好ましい。このようにして構成された第２の断熱材は、さや管外周面に密着したものとなり、両者間に隙間がないので、断熱性能に優れる。
【００１７】
第１の断熱材の外周面に高摺動性フィルムを設けることにより、断熱材被覆樹脂管がさや管に挿抜し易いものとなる。第２の断熱材の外周面に耐候性フィルムを設けることにより、第２の断熱材の耐候性が向上する。
【図面の簡単な説明】
【００１８】
【図１】実施の形態に係る温冷水配管の斜視図である。
【図２】図１のII−II線に沿う断面図である。
【図３】断熱材の表面付近の断面図である。
【図４】断熱材の装着方法を説明する断面図である。
【発明を実施するための形態】
【００１９】
以下、図１〜４を参照して実施の形態について説明するが、以下に説明するものは本発明の実施形態の一例であって、本発明はその要旨を超えない限り、以下の説明に何ら限定されるものではない。
【００２０】
温冷水配管１は、単管の円管状の樹脂管２と、該樹脂管２を被包する第１の断熱材３と、該第１の断熱材３に樹脂管２を内挿してなる断熱材被覆樹脂管が内挿されたさや管（鞘管）４と、該さや管４の外周を被包する第２の断熱材５とを有する。
【００２１】
樹脂管２は好ましくは公称５Ａのものであり、その外径は８ｍｍ±０．２ｍｍであり、内径は４．８ｍｍ±０．２５ｍｍである。ただし、樹脂管２はこれよりも小径でもよい。
【００２２】
樹脂管２を構成する樹脂としては、ポリエチレン、ポリブテン、ポリプロピレンや、これらを架橋したもの等が好ましく、特に、架橋ポリエチレン系樹脂からなるものが好ましい。架橋ポリエチレン系樹脂としては、架橋ポリエチレン樹脂単体の他、架橋ポリエチレン樹脂と他のポリオレフィン系樹脂との混合物を用いることができる。好ましいポリオレフィン系樹脂としては、ポリエチレン、ポリプロピレン、ポリブテン、エチレンプロピレンゴム等が挙げられる。また、中間層にアルミニウムやエチレンビニル共重合体などの酸素透過を防止する層を有する多層管であってもよい。
【００２３】
断熱材３，５は、図４のように、樹脂管２又はさや管４の外周にシート状断熱材を１重だけ巻き、端面Ｆ同士を融着させることにより樹脂管２又はさや管４に装着されたものである。
【００２４】
断熱材３，５としては、樹脂発泡体３ａ，５ａの外周面がフィルム３ｂ，５ｂで覆われているものが好適である。
【００２５】
樹脂発泡体３ａ，５ａを構成する樹脂としては、発泡成形体の素材として従来から使用されているものであれば使用可能であり、例えばポリオレフィン系樹脂や、塩化ビニル、エチレン酢酸ビニル共重合体、およびこれらの樹脂の混合物等が好適に用いられる。特に、ポリオレフィン系樹脂の発泡体が好ましい。ポリオレフィン系樹脂としては前記に挙げたものが好ましい。
【００２６】
樹脂発泡体３ａ，５ａの発泡倍率は、高い断熱性および耐傷性を有する複合管を得るためには、１０〜４０倍が好ましい。発泡倍率が１０倍より低いと断熱性能、曲げ易さ、コスト的に劣り、発泡倍率が４０倍を超えると表面の耐傷性に劣り、断熱材３の場合、さや管にも挿通しにくくなる。さや管４への挿通しやすさと断熱性とを考慮すると、断熱材３の発泡倍率は２０〜３０倍がより好ましい。
【００２７】
樹脂管２として公称５Ａのものを用いた場合、断熱材３の厚さは、小径の樹脂管２に巻き付け易くするために、３〜６ｍｍ特に４〜５ｍｍが好ましい。
【００２８】
フィルム３ｂ，５ｂを構成する樹脂材料としては、上記樹脂管２の材料と同様のものが好適であるが、摩擦を小さくするために、フッ素樹脂等の高摺動性樹脂を用いてもよい。フィルム５ｂには耐候性樹脂を用いてもよい。フィルム３ｂ，５ｂの厚みは４０〜２００μｍ程度が好適である。
【００２９】
このフィルム３ｂ，５ｂの鉛筆硬度は、通常、ＨＢ以上、好ましくはＨ以上、更に好ましくは２Ｈ以上、最も好ましくは３Ｈ以上である。
【００３０】
このフィルム３ｂ，５ｂには、図３の通りエンボス加工を施し、摩擦を小さくするのが好ましい。エンボス形状としては、円管形の断熱材３，５の周方向と長手方向の直交２方向に多数の溝を延設することにより正方枡目状に突起を配列したものが好適である。このエンボスの突起の配列ピッチＰは１〜５ｍｍ程度が好適である。また突起の高さＨは１〜３ｍｍ程度が好適である。
【００３１】
断熱材５の厚さは、温冷水配管１の直径が５０ｍｍ以下の規定値となる範囲でなるべく大きい方が好ましい。樹脂管２として公称５Ａのものを用いた場合、温冷水配管１の直径（外径）は５０ｍｍ以下、通常４０〜５０ｍｍ程度である。
【００３２】
さや管４としては可とう性を持たせるために波打ち加工を施した樹脂製コルゲート管が好適であり、特にポリエチレン製のコルゲート管が好ましい。
【００３３】
さや管４の直径は、断熱材３との間に１〜１０ｍｍ特に２〜５ｍｍの隙間があくように設定されるのが好ましい。この隙間が小さすぎると、断熱材３被覆樹脂管２をさや管４に挿抜しにくくなり、隙間が大きすぎると、温冷水配管１の断熱性が低下する。
【００３４】
このように構成された温冷水配管１にあっては、樹脂管２が小径のものであり、内部に温冷水、好適には温水を高流速で流すことができ、温水の温度低下を抑制することができる。この小径の樹脂管２に対し厚さが３〜６ｍｍと小さいマット状断熱材を１重だけ巻き付け、その端面同士を融着させることにより第１の断熱材３を形成している。この第１の断熱材３は、厚さが小さいので、小径の樹脂管に対して巻き付けるときの復元力が小さく、樹脂管２の外周面に密着させることができ、また、端面Ｆ同士の融着部も健全なものとなる。
【００３５】
この温冷水配管１では、第１の断熱材３の厚さを小さくしているが、さや管４の外周に第２の断熱材５を設けているので、温冷水配管１全体として断熱材の必要厚さが確保されており、温冷水配管１の直径が５０ｍｍ以下であっても断熱性能に優れたものとなる。
【００３６】
この実施の形態では、第２の断熱材５も、シート状断熱材を１重だけさや管に巻き付け、その端面同士を融着させて構成されたものであるので、第２の断熱材５は、さや管４の外周面に密着しており、両者間に隙間がなく、断熱性能に優れる。
【符号の説明】
【００３７】
１  温冷水配管
２  樹脂管
３，５  断熱材
４  さや管
【図１】
2015075174.tif 000003
【図２】
2015075174.tif 000004
【図３】
2015075174.tif 000005
【図４】
2015075174.tif 000006